(57)【要約】【課題】室内の温度を平滑化することができる蓄熱構造体を提供する。【解決手段】室内の熱を蓄熱する潜熱蓄熱材３を備えるとともに、対向する壁面Ｗ、Ｗ同士の間に形成された空間Ｓに潜熱蓄熱材３が配置されるように、壁面Ｗ、Ｗ同士の間にわたされる蓄熱部材４Ａと、蓄熱部材４Ａの両側の端部４ａにおいて、蓄熱部材４Ａを支持するように、壁面Ｗ、Ｗに取付けられる取付け部材８Ａ、８Ａと、を備える。【選択図】図３
2018132221.tif 000002
【特許請求の範囲】
【請求項１】
室内の熱を蓄熱する潜熱蓄熱材を備えるとともに、対向する壁面同士の間または隣接する壁面同士の間に形成された空間に前記潜熱蓄熱材が配置されるように、前記壁面同士の間にわたされる蓄熱部材と、
前記蓄熱部材の両側の端部において、前記蓄熱部材を支持するように、前記壁面に取付けられる取付け部材と、を備えることを特徴とする蓄熱構造体。
【請求項２】
前記蓄熱部材は、前記潜熱蓄熱材を内部に収容するとともに、前記取付け部材による支持により、前記壁面同士の間にわたされる支持梁を備えており、
前記支持梁の内部には、前記潜熱蓄熱材を収容する収容部が形成されており、
前記収容部を形成する内壁面を覆うように、前記潜熱蓄熱材が前記収容部に配置されていることを特徴とする請求項１に記載の蓄熱構造体。
【請求項３】
前記収容部の内部には、前記潜熱蓄熱材が前記内壁面を押圧するように、前記潜熱蓄熱材を前記内壁面に向かって付勢する付勢部材が配置されていることを特徴とする請求項２に記載の蓄熱構造体。
【請求項４】
前記蓄熱部材は、前記取付け部材に支持され、前記壁面同士の間にわたされる少なくとも１つの梁部材と、
前記少なくとも１つの梁部材に着脱自在に取付けられる前記潜熱蓄熱材を含む蓄熱パネルと、を備えることを特徴とする請求項１に記載の蓄熱構造体。
【請求項５】
前記蓄熱パネルは、前記梁部材の上に載置されていること特徴とする請求項４に記載の蓄熱構造体。
【請求項６】
前記蓄熱パネルは、前記梁部材の下方において、前記梁部材を覆うように取付けられていることを特徴とする請求項４に記載の蓄熱構造体。
【発明の詳細な説明】
【技術分野】
【０００１】
本発明は、室内の熱を蓄熱する潜熱蓄熱材を備えた蓄熱構造体に関する。
【背景技術】
【０００２】
従来から、床材、壁材、または天井材の技術分野において、室内暖房時に発生する熱エネルギや、太陽光などの自然エネルギをより有効に活用するような研究・開発が盛んに取り組まれており、これらの研究・開発に基づいた省エネおよびエコ対策が講じられている。
【０００３】
たとえば、特許文献１には、天井面の一部を覆うように取付けられる天井パネルが提案されている。この天井パネルは、加熱媒体が流れるマット材と、加熱媒体の熱を蓄熱する潜熱蓄熱材と、潜熱蓄熱材とを収容する収容凹部が形成されたパネル材と、を備えている。この技術によれば、天井パネルを、天井面に直接かつ簡単に取付けることができ、マット材の加熱媒体からの熱を潜熱蓄熱材で蓄熱し、蓄熱した熱を室内に放熱することができる。
【先行技術文献】
【特許文献】
【０００４】
【特許文献１】特開２０１５−８７０４８号公報
【発明の概要】
【発明が解決しようとする課題】
【０００５】
しかしながら、特許文献１の天井パネルは、実質的には、加熱設備などで発生させた熱を、加熱媒体とともにマット材に移動させ、移動した熱を潜熱蓄熱材で蓄熱し、蓄熱した熱を室内に部分的に放熱することを前提としている。このため、天井パネルは、天井面の一部に取付けられる。したがって、天井パネルにより、壁面同士の間の空間全体の熱を蓄熱し、この空間全体に放熱するに至らず、室内の局所的な空間において、潜熱蓄熱材により蓄熱および放熱される。このような結果、天井パネルが配置された近傍のみが、温かくなり、室内の空間の温度にばらつきが生じてしまう。一方、引用文献１の天井パネルは、加熱媒体とともに熱を移動させることで、潜熱蓄熱材に蓄熱しているため、全体的な構造が複雑化してしまう。
【０００６】
本発明は、このような点を鑑みてなされたものであり、その目的とするところは、加熱媒体等により直接的に潜熱蓄熱材を加熱しなくとも、より単純な構造で、室内の温度を平滑化することができる蓄熱構造体を提供することにある。
【課題を解決するための手段】
【０００７】
前記課題を鑑みて、本発明に係る蓄熱構造体は、室内の熱を蓄熱する潜熱蓄熱材を備えるとともに、対向する壁面同士の間または隣接する壁面同士の間に形成された空間に前記潜熱蓄熱材が配置されるように、前記壁面同士の間にわたされる蓄熱部材と、前記蓄熱部材の両側の端部において、前記蓄熱部材を支持するように、前記壁面に取付けられる取付け部材と、を備える。
【０００８】
本発明によれば、隣接するまたは対向する壁面同士の間に蓄熱部材がわたされた状態で、これらの壁面同士の間の空間に、潜熱蓄熱材を配置することができる。これにより、壁面同士の間に形成された空間にわたって、室内の熱を蓄熱し、蓄熱した熱を放熱することができ、室内の温度を平滑化することができる。また、壁面に取付けられた取付け部材で蓄熱部材を支持するので、天井に蓄熱パネル等を取付ける場合に比べて、蓄熱部材の取付け、取外しをより簡単に行うことができる。特に、室内において、高気密性および高断熱性を有した住宅においては、加熱媒体等により直接的に潜熱蓄熱材を加熱しなくても、昼間の室内の温度が上昇した時の熱を効率的に潜熱蓄熱材に蓄熱し、この蓄熱した熱を、夜間（具体的には夜冷え込んだ時）放熱することができるため、昼夜の室内の温度を平滑化することができる。このような結果、加熱媒体を加熱し、これを移動させるような大掛かりな設備・装置は必要なく、より単純な構造で、空間的かつ昼夜に拘わらず、室内の温度を平滑化することができる。
【０００９】
より好ましい態様としては、前記蓄熱部材は、前記潜熱蓄熱材を内部に収容するとともに、前記取付け部材による支持により、前記壁面同士の間にわたされる支持梁を備えており、前記支持梁の内部には、前記潜熱蓄熱材を収容する収容部が形成されており、前記収容部を形成する内壁面を覆うように、前記潜熱蓄熱材が前記収容部に配置されている。
【００１０】
この態様によれば、支持梁の収容部の内壁面を覆うように、潜熱蓄熱材を支持梁の収容部に配置するので、支持梁により、室内の美観を高めつつ、支持梁内の潜熱蓄熱材で、室内の熱を蓄熱し、これを放熱することができる。
【００１１】
支持梁の内部に潜熱蓄熱材を配置したより好ましい態様としては、前記収容部の内部には、前記潜熱蓄熱材が前記内壁面を押圧するように、前記潜熱蓄熱材を前記内壁面に向かって付勢する付勢部材が配置されている。
【００１２】
この態様によれば、付勢部材により潜熱蓄熱材が収容部の内壁面に押圧されるので、潜熱蓄熱材と内壁面との隙間の発生が抑制され、潜熱蓄熱材と支持梁との熱伝導性を高めることができる。これにより、潜熱蓄熱材の蓄熱性および放熱性を高めることができる。
【００１３】
別の好ましい態様としては、前記蓄熱部材は、前記取付け部材に支持され、前記壁面同士の間にわたされる少なくとも１つの梁部材と、前記少なくとも１つの梁部材に着脱自在に取付けられる前記潜熱蓄熱材を含む蓄熱パネルと、を備える。
【００１４】
この態様によれば、梁部材に支持された蓄熱パネルにより、広い範囲で、室内の熱を蓄熱し、これを放熱することができる。蓄熱パネルは梁部材に着脱自在に取付けられるので、蓄熱パネルを簡単に取付け・取外しすることができる。
【００１５】
蓄熱パネルを備えたより好ましい態様としては、前記蓄熱パネルは、前記梁部材の上に載置されている。この態様によれば、蓄熱パネルを梁部材の上に載置すればよいので、蓄熱パネルの取付け・取外しが簡単になる。
【００１６】
蓄熱パネルを備えた別のより好ましい態様としては、前記蓄熱パネルは、前記梁部材の下方において、前記梁部材を覆うように取付けられている。この態様によれば、梁部材を覆うように、蓄熱パネルが梁部材に取付けられているので、梁部材が室内に露出し難く、蓄熱パネルにより、室内の天井の美観を高めることができる。
【発明の効果】
【００１７】
本発明によれば、蓄熱部材が、対向する壁面同士の間または隣接する壁面同士の間をわたし、壁面同士の間に形成された空間に潜熱蓄熱材が配置されるため、この空間に生じる熱を潜熱蓄熱材で蓄熱（吸熱）し、蓄熱した熱を均一に放熱することができる。これにより、室内の温度を平滑化することができる。
【図面の簡単な説明】
【００１８】
【図１】本発明の第１実施形態に係る蓄熱構造体の模式的斜視図である。
【図２】図１に示す蓄熱構造体を壁面に取付けた状態の模式的分解斜視図である。
【図３】図２のＡ−Ａ線の矢視に沿った模式的断面図である。
【図４】図３に示す蓄熱構造体の第１の変形例に係る模式的断面図である。
【図５】（ａ）および（ｂ）は、図３に示す蓄熱構造体の第２および第３の変形例に係る模式的断面図である。
【図６】図１に示す蓄熱構造体の第４の変形例の模式的斜視図である。
【図７】図６に示す蓄熱構造体を壁面に取付けた状態の模式的分解斜視図である。
【図８】図７のＢ−Ｂ線の矢視に沿った模式的断面図である。
【図９】本発明の第２実施形態に係る蓄熱構造体の模式的斜視図である。
【図１０】図９のＣ−Ｃ線の矢視に沿った模式的断面図である。
【図１１】図１０に示す蓄熱構造体の第１の変形例に係る模式的断面図である。
【図１２】図９に示す蓄熱構造体の第２の変形例に係る模式的斜視図である。
【図１３】図１２のＤ−Ｄ線の矢視に沿った模式的断面図である。
【図１４】図１０に示す蓄熱構造体の第３の変形例に係る模式的斜視図である。
【図１５】図１４のＥ−Ｅ線の矢視に沿った模式的断面図である。
【発明を実施するための形態】
【００１９】
以下に、本発明に係る照明ユニットを、図１〜１５を参照しながら、２つの実施形態により説明する。
【００２０】
〔第１実施形態〕
図１は、本発明の第１実施形態に係る蓄熱構造体１Ａの模式的斜視図であり、図２は、図１に示す蓄熱構造体１Ａを壁面Ｗに取付けた状態の模式的斜視図である。図３は、図２のＡ−Ａ線の矢視に沿った模式的断面図である。
【００２１】
図１に示すように、本実施形態に係る蓄熱構造体１Ａは、蓄熱部材４Ａと、一対の取付け部材８Ａ、８Ａと、を備えている。蓄熱部材４Ａは、室内Ｒの熱を蓄熱する潜熱蓄熱材３（図２参照）を備えている。蓄熱部材４Ａは、対向する壁面Ｗ、Ｗ同士の間に形成された空間Ｓに潜熱蓄熱材３が配置されるように、壁面Ｗ、Ｗ同士の間にわたされている。取付け部材８Ａは、蓄熱部材４Ａの両側の各端部４ａにおいて、長尺状の蓄熱部材４Ａを支持するように、壁面Ｗ、Ｗに取付けられている。
【００２２】
なお、本実施形態では、対向する壁面Ｗ、Ｗの間をわたすように、取付け部材８Ａ、８Ａを介して、蓄熱部材４Ａを壁面Ｗ、Ｗに取付けたが、例えば、隣接する壁面Ｗ、Ｗの間をわたすように、取付け部材８Ａ、８Ａを介して、蓄熱部材４Ａを壁面Ｗ、Ｗに取付けてもよい。
【００２３】
図２および図３に示すように、本実施形態では、蓄熱部材４Ａは、潜熱蓄熱材３を内部に収容するとともに、壁面Ｗ、Ｗ同士の間にわたされて、これらの間に支持される支持梁４１Ａを備えている。支持梁４１Ａの内部には、潜熱蓄熱材３を収容する収容部４２が形成されている。潜熱蓄熱材３は、収容部４２を形成する内壁面４２ａを覆い、これに接触するように、収容部４２に配置されている。
【００２４】
支持梁４１Ａ内において、潜熱蓄熱材３の一部が漏洩しないのであれば、潜熱蓄熱材３の態様は特に限定されるものではない。潜熱蓄熱材３は、例えば、両端が封止されたチューブ状の容体に潜熱蓄熱材を収容したものでもよく、相変化温度以上でゲル状となる潜熱蓄熱材となるものでもよく、木材や多孔質材などの基材に、このゲル状となる潜熱蓄熱材が含浸されていてもよい。
【００２５】
潜熱蓄熱材の材料としては、室内Ｒの熱を蓄熱することができるのであれば、特にその材料は限定されるものではない。潜熱蓄熱材の液相から固相への相変化温度は、１８〜３０℃であることが好ましく、ゲル状の潜熱蓄熱材を用いた場合には、８０℃以上の耐熱性を有することが好ましい。
【００２６】
このような潜熱蓄熱材の材料としては、たとえば、ｎ−ヘキサデカン、ｎ−ヘプタデカン、ｎ−オクタデカン、ｎ−ナノデカン等及びこれらの混合物で構成されるｎ−パラフィンやパラフィンワックス等の脂肪族炭化水素、オクタン酸、カプリン酸、ラウリン酸、ミリスチン酸等及びこれらの混合物で構成される長鎖脂肪酸、上記脂肪酸のエステルやポリエチレングリコール等のポリエーテル化合物、硫酸ナトリウム水和物、塩化カルシウム水和物等を挙げることができる。
【００２７】
本実施形態では、潜熱蓄熱材３は、支持梁４１Ａの長手方向に亘って、壁面Ｗ、Ｗ同士の間に連続して配置されている。したがって、潜熱蓄熱材３は、壁面Ｗ、Ｗの距離に相当する長さを有している。なお、本実施形態では、連続した１つの潜熱蓄熱材３を、収容部４２に配置したが、例えば、支持梁４１Ａの長手方向に沿って、収容部４２に、断続的に、複数の潜熱蓄熱材３を配置してもよい。この場合、複数の潜熱蓄熱材３を、等間隔に配置してもよい。また、例えば、太陽光が照射される窓側または冷暖房設備などの熱源の近傍に配置される潜熱蓄熱材３の量が、その他の箇所に配置される量に比べて、多くなるように、潜熱蓄熱材３を配置してもよい。これにより、より効率良く、潜熱蓄熱材３に太陽光の熱または冷暖房設備などの熱源の熱を蓄熱することができ、蓄熱した熱を、潜熱蓄熱材３から室内Ｒに均一に放熱することができるので、急激な室内の温度変化を防ぐことができ、室内の温度をより平準化することができる。たとえば、特に、日射による熱、冷暖房設備による熱により、室内温度が変化しやすい高気密性および高断熱性を有した住宅（高気密高断熱住宅）では、室内温度が急激に上昇し易い環境下となるが、本実施形態の如き簡単な構造で、室内の余剰な熱を蓄熱部材４Ａの潜熱蓄熱材３で吸熱し、室内の温度を平滑化することができる。
【００２８】
蓄熱部材４Ａの一部を構成する支持梁４１Ａは、壁面Ｗ、Ｗの距離に相当する長さを有している。支持梁４１Ａは、長手方向と直交する断面がＬ字状の梁本体（チャンネル）４１ａと、梁本体４１ａに取付けられた側壁材４１ｂと、これらを上方から覆う蓋体４１ｃと、を備えており、支持梁４１Ａの内部には、上述した収容部４２が形成されている。
【００２９】
本実施形態では、収容部４２において、潜熱蓄熱材３の取付け・取外しを容易にするために、支持梁４１Ａを梁本体４１ａと側壁材４１ｂの別体としたが、蓋体４１ｃから潜熱蓄熱材３を簡単に取付け・取外しができるのであれば、梁本体４１ａと側壁材４１ｂが一体であってもよい。また、支持梁４１Ａの表面には、化粧材等が配置されていてもよく、その表面に、印刷等により模様が付されていてもよい。
【００３０】
本実施形態では、各取付け部材８Ａは、蓄熱部材４Ａ（支持梁４１Ａ）を下方から支持するものであり、固定具９２、９２により壁面Ｗ、Ｗに固定されている。図２に示すように、取付け部材８Ａには、蓄熱部材４Ａの端部４ａを収容する収容凹部８１が形成されている。具体的には、収容凹部８１は、支持梁４１Ａの端部４ａを載置する載置部８２と、支持梁４１Ａの両側の水平方向の移動を防止する一対の側壁部８３、８３と、により形成されている。
【００３１】
これにより、蓄熱部材４Ａの端部４ａを収容凹部８１に収容した状態で、蓄熱部材４Ａの各端部４ａは、取付け部材８Ａの載置部８２に載置される。このような結果、蓄熱部材４Ａの荷重を、取付け部材８Ａ、８Ａによって下方から受けることができる。また、各取付け部材８Ａの一対の側壁部８３、８３により、支持梁４１Ａの水平方向の移動を抑えることができる。なお、取付け部材８Ａは、室内Ｒの美観を損なわなければ、その材料は、木材、樹脂、または、金属などのいずれの材料であってもよい。
【００３２】
本実施形態によれば、対向する壁面Ｗ、Ｗ同士の間に蓄熱部材４Ａがわたされた状態で、これらの壁面Ｗ、Ｗ同士の間の空間Ｓに、潜熱蓄熱材３を配置することができる。これにより、壁面Ｗ、Ｗ同士の間に形成された空間Ｓにおいて、室内Ｒの熱を、潜熱蓄熱材３で蓄熱し、蓄熱した熱を放熱することができ、室内の温度を平滑化することができる。さらに、蓄熱部材４Ａを壁面Ｗ、Ｗに取付けられた取付け部材８Ａで支持するので、天井に蓄熱部材を取付ける場合に比べて、蓄熱部材４Ａの取付け、取外しをより簡単に行うことができる。
【００３３】
特に、本実施形態では、図２に示すように、潜熱蓄熱材３を収容する支持梁４１Ａは、取付け部材８Ａに載置した状態で、壁面Ｗに取付けられている。これにより、支持梁４１Ａを持ち上げることにより、潜熱蓄熱材３が収容された支持梁４１Ａ（すなわち蓄熱部材４Ａ）を取付け部材８Ａから簡単に取外しすることができる。
【００３４】
また、本実施形態では、蓄熱部材４Ａを取付ける際には、取付け部材８Ａに上方から支持梁４１Ａを載置すればよいので、蓄熱部材４Ａを対向する壁面Ｗ、Ｗの間に簡単に取付けることができる。特に、リフォームにおいて蓄熱部材４Ａを取付ける場合であっても、分かりにくい天井の構造を変更することなく、さらには、蓄熱部材４Ａの重量に対して天井を補強することなく、蓄熱部材４Ａを簡単に取付けることができる。
【００３５】
また、冬季に暖房している部屋に日射が入り込み、室内温度が急激に上昇するような環境下で、室内の余剰な熱を蓄熱部材４Ａの潜熱蓄熱材３で吸熱することができるため、室内温度の急激な上昇を抑えることができる。これにより、室内温度の急激な温度上昇による不快感を抑えつつ、蓄熱部材４Ａの潜熱蓄熱材３からの熱を利用して暖房コストを抑えることができる。特に、日射による熱、冷暖房設備による熱により、室内温度が変化しやすい高気密高断熱の住宅で、本実施形態に係る蓄熱構造体１Ａを適用することは有効である。
【００３６】
具体的には、蓄熱構造体１Ａが、高気密高断熱住宅用の蓄熱構造体である場合には、高気密高断熱住宅の外皮平均熱貫流率（ＵＡ値）が０．６ｋＷ／ｍ２・Ｋ以下の範囲を満たすことが好ましい。より好ましくは、高気密高断熱住宅の外皮平均熱貫流率（ＵＡ値）は、０．５ｋＷ／ｍ２・Ｋ以下の範囲であり、さらに好ましくは、０．４ｋＷ／ｍ２・Ｋ以下の範囲である。
【００３７】
ここで、外皮平均熱貫流率は、建物内外温度差を１℃としたときに、建物内部から外界へ逃げる単位時間あたりの熱量（換気による熱損失を除く）を、外皮面積の合計で除した値であり、この値が、小さいほど、高気密高断熱に優れた住宅である。なお、本実施形態では、外皮とは、建物外部に相当する建物の外壁、屋根、床下、ドア、および窓等である。
【００３８】
図４は、図３に示す蓄熱構造体１Ａの第１の変形例に係る模式的断面図である。この変形例では、収容部４２の内壁面４２ａに、支持梁４１Ａの長手方向に沿って、シート材６が被覆されている。シート材６を被覆することにより、潜熱蓄熱材３が、支持梁４１Ａに染み込むことを防止することができるとともに、支持梁４１Ａを構成する各部材の境界から潜熱蓄熱材３の一部が漏洩することも防止することができる。
【００３９】
シート材６は、例えばアルミニウムなどの金属製シート材、樹脂製シート材、または、これらを積層した複合シート材など、特に限定されるものではない。しかしながら、シート材６は、金属製シート材からなる、または、少なくとも金属製のシート層を含むことが好ましい。シート材６の金属により、支持梁４１Ａの長手方向に、潜熱蓄熱材３の熱を伝達し、室内Ｒに均一に放熱することができる。特に、太陽光が照射される窓側または冷暖房設備などの熱源の近傍に応じて、潜熱蓄熱材３の量を、支持梁４１Ａの長手方向に沿って変化させた場合であっても、均一に室内の熱をシート材６を介して蓄熱することができ、さらに、シート材６を介して、蓄熱した熱を室内Ｒにより均一に放熱することができる。なお、潜熱蓄熱材３が連続した１つの潜熱蓄熱材である場合には、この表面にシート材６が被覆されていてもよい。
【００４０】
図５（ａ）および図５（ｂ）は、図３に示す蓄熱構造体１Ａの第２および第３の変形例に係る模式的断面図である。図５（ａ）に示す第２の変形例では、図３に示す形態と同様に蓄熱部材４Ａの一部を構成する潜熱蓄熱材３が、収容部４２の内壁面４２ａに接触している。さらに、収容部４２には、潜熱蓄熱材３が内壁面４２ａを押圧するように、潜熱蓄熱材３を内壁面４２ａに向かって付勢する付勢部材７Ａが配置されている。
【００４１】
図５（ａ）に示す状態では、付勢部材７Ａは、チャンネル状であり、潜熱蓄熱材３が収容部４２の内壁面４２ａを押圧するように弾性変形した状態で、収容部４２に配置されている。これにより、付勢部材７Ａは、内側に向かって弾性変形した側壁部７１と上壁部７２が、元の形状に戻ろうとする復元力（側壁部７１と上壁部７２が外側に広がろうとする復元力）により、潜熱蓄熱材３を付勢する。本実施形態では、付勢部材７Ａは、支持梁４１Ａの長手方向に亘って配置されており、支持梁４１Ａの長手方向に亘って潜熱蓄熱材３を付勢する。この付勢力で潜熱蓄熱材３は収容部４２の内壁面４２ａを支持梁４１Ａの長手方向に亘って押圧することができる。
【００４２】
このような結果、付勢部材７Ａにより潜熱蓄熱材３が収容部４２の内壁面４２ａに押圧されるので、潜熱蓄熱材３と内壁面４２ａとの隙間の発生が抑制され、潜熱蓄熱材３と支持梁４１Ａとの熱伝導性を高めることができる。これにより、潜熱蓄熱材３の蓄熱性および放熱性を高めることができる。
【００４３】
ここで、付勢部材７Ａの材質は、上述した弾性変形が可能なものであれば、特に限定されるものではなく、樹脂材料または金属材料等を挙げることができるが、本実施形態では、付勢部材７Ａは、アルミニウム、鋼等の金属材料からなることがより好ましい。これにより、潜熱蓄熱材３からの熱を付勢部材７Ａに好適に伝達し、伝達された熱を潜熱蓄熱材３により均一に伝達することができる。
【００４４】
さらに図５（ｂ）の第３の変形例に示すように、付勢部材７Ｂは、樹脂、ゴム、またはこれらの発泡体などの弾性体からなってもよい。この場合には、付勢部材７Ｂは、潜熱蓄熱材３が収容部４２の内壁面４２ａを押圧するように圧縮弾性変形させた状態で、収容部４２に配置されている。さらに、付勢部材７Ｂの表面７３に、金属膜を被覆してもよい。これにより、付勢部材７Ｂの表面７３の金属膜を介して、潜熱蓄熱材３の温度を均一にすることができる。
【００４５】
図６は、図１に示す蓄熱構造体１Ａの第４の変形例である蓄熱構造体１Ｂの模式的斜視図であり、図７は、図６に示す蓄熱構造体１Ｂを壁面Ｗ、Ｗに取付けた状態の模式的斜視図であり、図８は、図７のＢ−Ｂ線の矢視に沿った模式的断面図である。
【００４６】
第４の変形例に係る蓄熱構造体１Ｂが、図１に示すものと相違する点は、図７に示すように、取付け部材８Ｂが室内Ｒに露出してない点である。図６に示すように、この変形例でも、蓄熱部材４Ｂは、対向する壁面Ｗ、Ｗの間をわたすように配置されている。図７に示すように、この変形例でも、蓄熱部材４Ｂは、潜熱蓄熱材３と、これを収容する支持梁４１Ｂを備えている。
【００４７】
支持梁４１Ｂは、長手方向と直交する断面がコ字状の梁本体４１ａと、梁本体４１ａの上部に形成された開口を覆う蓋体４１ｃと、を備えている。梁本体４１ａの開口を蓋体４１ｃで覆うことにより、潜熱蓄熱材３を収容する収容部４２が形成される。蓄熱部材４Ｂは、支持梁４１Ｂの各端部の収容部４２に取付け部材８Ｂ、８Ｂを収容した状態で、壁面Ｗ、Ｗに取付けられている。
【００４８】
図８に示すように、潜熱蓄熱材３は、収容部４２の内壁面４２ａに接触するように配置されている点は、図１に示すものと同じである。さらに、この変形例では、図６および図７に示すように、２つの取付け部材８Ｂ、８Ｂは、収容部４２の両側から挿入された状態で、支持梁４１Ｂと壁面Ｗに固定されている。図７では、取付け部材８Ｂは、固定具（図示せず）により、壁面Ｗに取付けられており、固定具は、収容部４２に収容された際に、室内から見えない位置に配置される。
【００４９】
さらに、支持梁４１Ｂの梁本体４１ａおよび各取付け部材８Ｂには、これらを固定具９２で固定するための孔部４１ｄ、８ｄがそれぞれ形成されている。蓄熱部材４Ｂを取付ける際には、例えば、潜熱蓄熱材３を収容した梁本体４１ａと、取付け部材８Ｂとを、固定具９２を介して固定した後に、梁本体４１ａに蓋体４１ｃを取付ける。
【００５０】
この変形例によれば、壁面Ｗに蓄熱部材４Ｂを取付ける取付け部材８Ｂは、支持梁４１Ｂの収容部４２の両側から挿入された状態で、支持梁４１Ｂと壁面Ｗとに固定されるので、取付け部材８Ｂが、収容部４２内に収まる。
【００５１】
これにより、取付け部材８Ｂが室内Ｒに露出することを抑え、室内Ｒの美観を高めることができる。さらに、蓄熱部材４Ｂは、取付け部材８Ｂを介して壁面Ｗに取付けられているので、蓄熱部材４Ｂの取付け取外しを簡単に行うことができる。
【００５２】
なお、この第４の変形例に係る蓄熱部材４Ｂに、例えば、第１の変形例で示したシート材６をさらに設けてもよく、さらに、第２または第３の変形例で示した付勢部材７Ａ、７Ｂをさらに設けてもよい。
【００５３】
〔第２実施形態〕
図９は、本発明の第２実施形態に係る蓄熱構造体１Ｃの模式的斜視図であり、図１０は、図９のＣ−Ｃ線の矢視に沿った模式的断面図である。図１１は、図１０に示す蓄熱構造体１Ｃの変形例に係る模式的断面図である。
【００５４】
本実施形態では、第１実施形態と同様に、蓄熱部材４Ｃが、対向する壁面Ｗ、Ｗ同士の間に形成された空間Ｓに潜熱蓄熱材３が配置されるように、壁面Ｗ、Ｗ同士の間にわたされている点は同じである。なお、本実施形態も、第１実施形態と同様に、蓄熱部材４Ｃが
隣接する壁面Ｗ、Ｗ同士の間をわたすように、配置されていてもよい。
【００５５】
本実施形態では、図９に示すように、蓄熱部材４Ｃは、壁面Ｗ、Ｗ同士の間にわたされる２つの梁部材４１Ｃ、４１Ｃと、２つの梁部材４１Ｃ、４１Ｃに着脱自在に取付けられる潜熱蓄熱材３を内蔵した４枚（複数の）蓄熱パネル４５、４５、…と、を備える。本実施形態では、蓄熱パネル４５は、２つの梁部材４１Ｃ、４１Ｃの上に載置されている。
【００５６】
図１０に示すように、本実施形態に係る梁部材４１Ｃは、中実の角材である。梁部材４１Ｃが、蓄熱パネル４５を載置することができるのであれば、梁部材４１Ｃの個数（本数）およびその形状は特に限定されるものではない。さらに、各梁部材４１Ｃの材質としては、たとえば、金属、木材、樹脂などを挙げることができ、壁面Ｗに取付けることができ、蓄熱パネル４５を支持することができるのであれば、各梁部材４１Ｃの材質は、特に限定されるものではない。なお、各梁部材４１Ｃは、図１に示す取付け部材８Ａ、または、図７に示す取付け部材８Ｂと同様の取付け部材（図示せず）により、支持されている。
【００５７】
本実施形態では、蓄熱パネル４５は、第１実施形態で示したものと同様の潜熱蓄熱材３を有している。具体的には、潜熱蓄熱材３の一部が漏洩しないように、容体に封入されていてもよく、木材または多孔質材などの基材に含浸してもよく、相変化温度以上でゲル状となる潜熱蓄熱材であってもよい。さらに、本実施形態では、潜熱蓄熱材３には、化粧材４６が被覆されている。
【００５８】
本実施形態によれば、第１実施形態に示す蓄熱および放熱の効果に加えて、梁部材４１Ｃ、４１Ｃに支持された蓄熱パネル４５により、広い範囲で、室内Ｒの熱を蓄熱し、これを放熱することができる。蓄熱パネル４５は、２つの梁部材４１Ｃ、４１Ｃに載置されることにより、梁部材４１Ｃ、４１Ｃに着脱自在に取付けられるので、蓄熱パネル４５を簡単に取付け・取外しすることができる。
【００５９】
図１１は、図１０に示す蓄熱構造体１Ｃの第１の変形例に係る模式的断面図である。図１１に示す蓄熱構造体１Ｃでは、梁部材４１Ｃの内部に潜熱蓄熱材３Ａがさらに収容されている。この梁部材４１Ｃは、第１実施形態で示した支持梁４１Ａ、４１Ａと同様の構造であってもよく、梁部材４１Ｃと潜熱蓄熱材３Ａを組み合わせた部材が、第１実施形態で示した蓄熱部材４Ａ、４Ｂと同様の構造であってもよい。
【００６０】
この変形例によれば、蓄熱パネル４５の潜熱蓄熱材３ばかりでなく、梁部材４１Ｃに収容された潜熱蓄熱材３Ａでも蓄熱することができる。特に、床側から蓄熱パネル４５に向かう熱は、図１０に示すものでは、梁部材４１Ｃにより部分的に遮断され易いところ、本実施形態では、この遮断される熱の蓄熱を、梁部材４１Ｃに収容された潜熱蓄熱材３Ａにより、補完することができる。
【００６１】
図１２は、図９に示す蓄熱構造体１Ｃの第２の変形例に係る模式的斜視図であり、図１３は、図１２のＤ−Ｄ線の矢視に沿った模式的断面図である。図１２に示す蓄熱構造体１Ｃの梁部材４１Ｃは、１つであり、この１つの梁部材４１Ｃに、４枚（複数）の蓄熱パネル４５、４５、…が載置されている。各蓄熱パネル４５には、梁部材４１Ｃに係合する係合凹部４５ａが形成されている。
【００６２】
この変形例によれば、蓄熱パネル４５の係合凹部４５ａに梁部材４１Ｃが係合するように、蓄熱パネル４５を梁部材４１Ｃに載置すれば、蓄熱パネル４５を安定した状態で配置することができる。なお、図９に示す蓄熱構造体１Ｃの蓄熱パネル４５に、第２の変形例と同様の係合凹部４５ａを設けてもよい。
【００６３】
図１４は、図９に示す蓄熱構造体１Ｃの第３の変形例に係る模式的斜視図であり、図１５は、図１４のＥ−Ｅ線の矢視に沿った模式的断面図である。図９に示す蓄熱構造体１Ｃでは、梁部材４１Ｃ、４１Ｃの上に蓄熱パネル４５を載置したが、この変形例では、蓄熱パネル４５が、梁部材４１Ｄ、４１Ｄの下方において、梁部材４１Ｄ、４１Ｄを覆うように取付けられている。なお、図１４においても、図９と同様に、梁部材４１Ｄを支持するように、壁面Ｗに取付けられる取付け部材は、省略している。
【００６４】
具体的には、図１５に示すように、梁部材４１Ｄは、中空状のチャンネルであり、梁部材４１Ｄには、蓄熱パネル４５に取付けられた係止爪９３を係止するための係止穴４１ｅが形成されている。
【００６５】
梁部材４１Ｄに蓄熱パネル４５を取付ける際には、蓄熱パネル４５に取付けられた係止爪９３を、梁部材４１Ｄの係止穴４１ｅに収納し、蓄熱パネル４５をスライドさせることにより、係止爪９３を梁部材４１Ｄに係止し、係止爪９３を梁部材４１Ｄに取付けることができる。梁部材４１Ｄ、４１Ｄを覆うように、蓄熱パネル４５がこれらに取付けられているので、梁部材４１Ｄが室内Ｒに露出し難く、蓄熱パネル４５により、室内Ｒの天井の美観を高めることができる。
【００６６】
以上、本発明の実施の形態を詳述してきたが、具体的な構成はこの実施形態に限定されるものではなく、本発明の要旨を逸脱しない範囲における設計変更があっても、それらは本発明に含まれるものである。
【００６７】
たとえば、図１４および図１５に示す、第２実施形態の第３変形例では、２つの梁部材に蓄熱パネルを取付けたが、蓄熱パネルを支持することができるのであれば、梁部材の本数は特に限定されるものではない。さらに、この梁部材の内部に、潜熱蓄熱材をさらに収容してもよい。
【００６８】
さらに、第１実施形態に係る蓄熱構造体では、高気密高断熱住宅に用いることが有効であることを示したが、第２実施形態に係る蓄熱構造体およびその他の変形例に係る蓄熱構造体も、高気密高断熱住宅に用いることが有効であることは勿論である。
【符号の説明】
【００６９】
１Ａ，１Ｂ：蓄熱構造体、３：潜熱蓄熱材、４Ａ〜４Ｄ：蓄熱部材、８Ａ，８Ｂ：取付け部材、４１Ａ，４１Ｂ：支持梁、４１Ｃ，４１Ｄ：梁部材、４２：収容部、４５：蓄熱パネル、Ｒ：室内、Ｓ：空間、Ｗ：壁面
【図１】
2018132221.tif 000003
【図２】
2018132221.tif 000004
【図３】
2018132221.tif 000005
【図４】
2018132221.tif 000006
【図５】
2018132221.tif 000007
【図６】
2018132221.tif 000008
【図７】
2018132221.tif 000009
【図８】
2018132221.tif 000010
【図９】
2018132221.tif 000011
【図１０】
2018132221.tif 000012
【図１１】
2018132221.tif 000013
【図１２】
2018132221.tif 000014
【図１３】
2018132221.tif 000015
【図１４】
2018132221.tif 000016
【図１５】
2018132221.tif 000017